(57)【要約】【課題】  ファスナー用コイル成型工程において、ポリエステルモノフィラメント用平滑剤兼コイル成型機の潤滑剤として使用可能であり、かつコイルファスナーにスラッジ堆積が使用温度において生じない耐熱良好な潤滑剤を提供する。【解決手段】  ベースオイルと硫黄含有エステルを含む界面活性剤からなり、１８０℃で６時間加熱後の残渣が、加熱前の潤滑剤量に基づいて、７０〜１００質量％であることを特徴とするコイル製造用潤滑剤。【選択図】  なし【特許請求の範囲】
【請求項１】
コイル成型工程において、ポリエステルモノフィラメントに平滑性およびコイル成型機に潤滑性を付与するための潤滑剤であって、ベースオイル（Ａ）、および界面活性剤（Ｂ）とからなり、１８０℃で６時間加熱後の残渣が、加熱前の潤滑剤量に基づいて、７０〜１００質量％であることを特徴とするコイル製造用潤滑剤。
【請求項２】
前記（Ｂ）が下記一般式（１）または（２）で表される硫黄含有エステル（Ｂ１）を含有することを特徴とする請求項１記載のコイル製造用潤滑剤。
【化１】
2005325335.tif 000011
【化２】
2005325335.tif 000012
［式中、ＯＲ1は炭素数１〜３０のモノヒドロキシ化合物残基、ＯＲ2はＯＨ基または炭素数１〜３０のモノヒドロキシ化合物残基（ｑが０の時はＯＨまたは炭素数１〜３０の一価アルコール残基）、ＯＡ1、ＯＡ2はそれぞれ独立に炭素数２〜４のオキシアルキレン基、ｐは１〜３０、ｑは０〜３０、ｍ、ｎは１〜６である。］
【請求項３】
前記（Ｂ１）の含有量が、前記（Ｂ）の重量に基づいて、１０〜８０重量％である請求項２記載のコイル製造用潤滑剤。
【請求項４】
前記（Ａ）が、鉱物油、その水添油および分解油からなる群より選ばれる１種または２種以上からなる混合物である請求項１〜３のいずれかに記載のコイル製造用潤滑剤。
【発明の詳細な説明】
【技術分野】
【０００１】
本発明は、ファスナー用コイル製造用潤滑剤に関する。
【背景技術】
【０００２】
ファスナー用コイルは、ポリエステルモノフィラメントを１６０℃〜１８０℃に加温されたコイル成型機内のスクリューを通してコイル状に成型加工したものである。
従来このポリエステルモノフィラメント用平滑剤兼コイル成型機の潤滑油として、鉱物油が使用されていたが、近年成型後の洗浄工程に於ける潤滑油の脱落性に主眼においたノニオン界面活性剤からなる潤滑剤や、鉱物油とノニオン界面活性剤を配合した潤滑剤が使用されている。
【発明の開示】
【発明が解決しようとする課題】
【０００３】
しかしこれらの潤滑油では、熱安定性が必ずしも充分でなく、スラッジ堆積が起こり、コイルが汚染されるなどの問題があった。
【課題を解決するための手段】
【０００４】
本発明者等は、上記問題を解決すべく鋭意検討を重ねた結果、本発明に至った。
すなわち本発明は、ベースオイル（Ａ）と界面活性剤（Ｂ）からなるファスナー用コイル製造用潤滑剤であり、１８０℃で６時間加熱後の残渣が、加熱前の潤滑剤の重量に基づいて、７０〜１００質量％であるファスナー用コイル製造用潤滑剤である。
【発明の効果】
【０００５】
本発明の潤滑剤は、熱安定性が優れているため、コイルファスナー成型時のスラッジ堆積を防止するという効果を奏する。
【発明を実施するための最良の形態】
【０００６】
本発明の潤滑剤は、コイル成型工程において、ポリエステルモノフィラメントに平滑性およびコイル成型機に潤滑性を付与するための潤滑剤であって、ベースオイル（Ａ）、および界面活性剤（Ｂ）とからなり、１８０℃で６時間加熱後の残渣が、加熱前の潤滑油の重量に基づいて７０〜１００質量％であり、スラッジによるコイル汚染の観点から、好ましくは７５〜１００質量％、特に好ましくは８０〜１００質量％である。
【０００７】
本発明におけるベースオイル（Ａ）としては、鉱物油およびその精製油、それらの水添またはその分解油、菜種油、およびひまし油などの動植物油等が挙げられる。
これらのうち、好ましいものは鉱物油およびその精製油、もしくはそれらの水添または分解油である。これらは１種で用いても、または２種以上を混合して用いてもよい。
【０００８】
本発明における界面活性剤（Ｂ）としては、アニオン界面活性剤（Ｂ２）、カチオン界面活性剤（Ｂ３）、両性界面活性剤（Ｂ４）、下記（Ｂ１）を除くノニオン界面活性剤（Ｂ５）、などが挙げられ、ベースオイル（Ａ）に溶解し、洗浄工程においてベースオイルをファスナーから脱落、分散できるもので有れば制限なく使用できるが、潤滑剤の耐熱性の観点から、硫黄含有エステル（Ｂ１）を含むものが好ましい。（Ｂ１）は単独で用いても、その他の（Ｂ２）〜（Ｂ５）のいずれか１種以上と併用して用いてもよい。
【０００９】
硫黄含有のエステル（Ｂ１）としては、下記一般式（１）または（２）で示されるもの、およびこれらの２種以上の混合物が挙げられる。
【化１】
2005325335.tif 000002
【化２】
2005325335.tif 000003
［式中、ＯＲ1は炭素数１〜３０のモノヒドロキシ化合物残基、ＯＲ2はＯＨ基または炭素数１〜３０のモノヒドロキシ化合物残基（ｑが０の時はＯＨまたは炭素数１〜３０の一価アルコール残基）、ＯＡ1、ＯＡ2はそれぞれ独立に炭素数２〜４のオキシアルキレン基、ｐは１〜３０、ｑは０〜３０、ｍ、ｎは１〜６である。］
【００１０】
ＯＲ1のモノヒドロキシ化合物残基としては、脂肪族アルコール（不飽和を含んでもよい）、脂環式アルコール、芳香族アルコールのような一価アルコール類およびフェノール類の残基を挙げることができる。これらの残基の炭素数は特に限定されないが、発煙性およびタール化現象を考慮し１〜３０が好ましく、さらに好ましくは４〜２４である。上述の残基を形成するモノヒドロキシ化合物の具体例としては、一価アルコールとしては例えば、メチルアルコール、エチルアルコール、プロピルアルコール、ｎ−ブチルアルコール、イソブチルアルコール、第三級ブチルアルコール、イソアミルアルコール、オクチルアルコール、２−エチルヘキシルアルコール、ラウリルアルコール、トリデシルアルコール、セチルアルコール、ステアリルアルコール、イソステアリルアルコール、合成アルコール類（例えばチーグラーアルコール、オキソアルコール）などの直鎖または測鎖を有する脂肪族飽和アルコール、アリルアルコール、クロチルアルコール、プロパギルアルコール、オレイルアルコール、リノレイルアルコールなどの脂肪族不飽和アルコール、抹香アルコール、牛脂還元アルコール、ヤシ油還元アルコールなどの脂肪族飽和および不飽和アルコール、シクロペンタノール、シクロヘキサノールなどの脂環式アルコール、ベンジルアルコール、シンナミルアルコールなどの芳香族アルコールを挙げることができる。またフェノール類としては、フェノールの他にクレゾール、イソプロピルフェノール、第三級ブチルフェノール、第三級アミルフェノールなどのフェノール類が挙げられる。これらのうち好ましい物は一価アルコール類、さらに好ましいものは脂肪族一価アルコールである。
【００１１】
ＯＲ2はＯＨ基またはモノヒドロキシ化合物残基であるが、後者については、前述のＯＲ1と同様である。ただし、ｑが０の時はＯＲ2はＯＨ基または一価アルコール残基であり、後者についてはＯＲ1と同様である。
【００１２】
上記の一般式（２）においてＯＡ1、ＯＡ2は炭素数２〜４のオキシアルキレン基であり、エチレンオキサイド（以下ＥＯと略記する）、プロピレンオキサイド（以下ＰＯと略記する）、ブチレンオキサイド基等をあげることができる。ｐまたはｑが複数の場合はこれらの基が二種以上ブロックまたはランダムの形で含まれていてもよい。一般式（２）中、ｐは、１〜３０が好ましく、さらに好ましくは５〜２５，ｑは０〜３０が好ましく、さらに好ましくは５〜２５である。ｍ、ｎは、耐熱性の観点から、１〜６が好ましく、さらに好ましくは１〜２である。
【００１３】
一般式（１）および（２）で表される硫黄含有エステル（Ｂ１）の具体例としては、オクチルアルコール、ラウリルアルコール、トリデシルアルコール、イソセチルアルコール、イソステアリルアルコール、合成アルコール（例えばチーグラーアルコール、オキソアルコール）などの直鎖または側鎖を有する脂肪族飽和アルコールおよびこれ等アルコールアルキレンオキサイド付加物とチオジプロピオン酸とのエステルなどが挙げられる。
例えば、ジオクチルチオジプロピオネート、ジラウリルチオジプロピオネート、ジトリデシルチオジプロピオネート、ジイソセチルチオジプロピオネート、ジイソステアリルチオジプロピオネート、ラウリルアルコールＥＯ３モル付加物のチオジプロピオン酸ジエステル、ラウリルアルコールＰＯ５モル付加物のチオジプロピオン酸ジエステル、イソセチルアルコールＥＯ３モル付加物のチオジプロピオン酸ジエステル、イソステアリルアルコールＰＯ５モル付加物のチオジプロピオン酸エステル等が挙げられる。
これらのうちさらに好ましいものは、ジラウリルチオジプロピオネート、ラウリルアルコールＥＯ３モル付加物のチオジプロピオン酸ジエステル、ラウリルアルコールＰＯ５モル付加物のチオジプロピオン酸ジエステル等が挙げられる。
【００１４】
アニオン界面活性剤（Ｂ２）としては、カルボン酸（塩）（Ｂ２−１）、スルホン酸（塩）（Ｂ２−２）、硫酸エステル（塩）（Ｂ２−３）、燐酸エステル（塩）（Ｂ２−４）が挙げられる。
【００１５】
カルボン酸（塩）（Ｂ２−１）としては、炭素数８〜２４の高級脂肪酸（塩）（Ｂ２−１Ａ）、炭素数８〜２４の高級アルコールのカルボキシアルキル（炭素数１〜３）エーテル（塩）（Ｂ２−１Ｂ）、炭素数８〜２４の高級アルコールのＡＯ付加物のカルボキシアルキル（炭素数１〜３）エーテル（塩）（Ｂ２−１Ｃ）が挙げられる。これらを構成する高級脂肪酸および高級アルコールは天然物由来のものでも合成されたものでも、どちらでもよく、さらにはカルボキシル基または水酸基の結合位置は炭化水素基の末端でも側鎖でもどちらでもよい。これらのうち好ましいものは炭素数８〜１８の（Ｂ２−１Ａ）、（Ｂ２−１Ｂ）、（Ｂ２−１Ｃ）である。
好ましいものの具体例としては、カプリン酸、ラウリン酸、ミリスチン酸、パルミチン酸、ステアリン酸などのナトリウム塩、カリウム塩、アンモニウム塩、アルカノールアミン塩、オクチルアルコールカルボキシメチル化ナトリウム塩、デシルアルコールカルボキシメチル化ナトリウム塩、ラウリルアルコールカルボキシメチル化ナトリウム塩、トリデカノールカルボキシメチル化ナトリウム塩、ラウリルアルコールＥＯ２モル付加物のカルボキシメチル化物のナトリウム塩、ミリスチルアルコールＥＯ３モル付加物のカルボキシメチル化物のナトリウム塩、などが挙げられる。
【００１６】
スルホン酸（塩）（Ｂ２−２）としては、炭素数８〜２４のα−オレフィンのスルホン酸化物（塩）（Ｂ２−２Ａ）、炭素数８〜２４の高級アルコールのスルホコハク酸（モノ、ジ）エステル（塩）（Ｂ２−２Ｂ）、炭素数８〜１４のアルキル基を有するアルキルベンゼンスルホン酸（塩）（Ｂ２−２Ｃ）、石油スルホネート（塩）（Ｂ２−２Ｄ）が挙げられる。尚、（Ｂ２−２Ａ）、（Ｂ２−２Ｂ）を構成する疎水基は、天然物由来のものでも合成されたものでもどちらでもよい。これらのうち好ましいものは炭素数８〜１８の（Ｂ２−２Ａ）、（Ｂ２−２Ｂ）および（Ｂ２−２Ｃ）である。
好ましいものの具体例としては、１−オクテン、１−デセン、１−ドデセン等のスルホン酸化物のナトリウム塩、ジオクチルスルホコハク酸ナトリウム塩、ジトリデシルスルホコハク酸ナトリウム塩、スルホコハク酸ラウリルジナトリウム塩、オクチルベンゼンスルホン酸ナトリウム塩、ドデシルベンゼンスルホン酸ナトリウム塩などが挙げられる。
【００１７】
硫酸エステル（塩）（Ｂ２−３）としては、高級アルコール硫酸エステル（塩）［炭素数８〜１８の脂肪族アルコールの硫酸エステル（塩）］、高級アルキルエーテル硫酸エステル（塩）［炭素数８〜１８の脂肪族アルコールのＥＯ１〜１０モル付加物の硫酸エステル（塩）］、硫酸化油（天然の不飽和油脂または不飽和のロウをそのまま硫酸化して中和したもの）、硫酸化脂肪酸エステル（不飽和脂肪酸の低級アルコールエステルを硫酸化して中和したもの）及び硫酸化オレフィン（炭素数１２〜１８のオレフィンを硫酸化して中和したもの）が挙げられる。
好ましいものの具体例としては、ロート油、硫酸化牛脂、硫酸化落花生油、硫酸化オレイン酸ブチル塩、硫酸化リシノレイン酸ブチル塩などが挙げられる。
【００１８】
燐酸エステル（塩）（Ｂ２−４）としては、炭素数８〜２４の高級アルコールの燐酸（モノ、ジ）エステル（塩）（Ｂ２−４Ａ）、炭素数８〜２４の高級アルコールのＡＯ付加物の燐酸（モノ、ジ）エステル（塩）（Ｂ２−４Ｂ）が挙げられる。なお、これらを構成する高級アルコールは天然物由来のものでも合成されたものでもどちらでもよい。これらのうち、好ましいものは炭素数８〜１８の高級アルコールのＡＯ付加物の燐酸（モノ、ジ）エステル（塩）である。
好ましいものの具体例としては、オクチルアルコールリン酸モノエステルカリウム塩、オクチルアルコールリン酸ジエステルジカリウム塩、ラウリルアルコールリン酸モノエステルモノカリウム塩、ラウリルアルコールリン酸ジエステルジカリウム塩、イソステアリルアルコールのＥＯ５モル付加物のリン酸モノエステルカリウム塩、イソステアリルアルコールのＥＯ５モル付加物のリン酸ジエステルジカリウム塩などが挙げられる。
【００１９】
（Ｂ２−１Ｃ）、（Ｂ２−３Ｂ）に使用されるＡＯとしては、ＥＯ、ＰＯおよびブチレンオキサイドが挙げられる。これらのうち好ましいものはＥＯおよびＰＯである。また、高級アルコール１モルに対するＡＯの付加モル数としては、通常１〜５０モルであり、好ましくは１〜２０モルである。
【００２０】
アニオン界面活性剤（Ｂ２）が塩の形をとる場合、通常ナトリウム塩、カリウム塩、アンモニウム塩およびアルカノールアミン（モノエタノールアミン、ジエタノールアミン、トリエタノールアミン、モノイソプロパノールアミン、ジイソプロパノールアミン、トリイソプロパノールアミン等）塩である。これらのうち好ましいものは、ナトリウム塩、カリウム塩、アルカノール塩である。
【００２１】
カチオン界面活性剤（Ｂ３）としては、第４級アンモニウム塩型カチオン界面活性剤（Ｂ３−１）およびアミン塩型カチオン界面活性剤（Ｂ３−２）等が挙げられる。
（Ｂ３）としては、例えば下記一般式（３）または（４）で示されるもの、およびこれらの２種以上の混合物が挙げられる。
【００２２】
【化３】
2005325335.tif 000004
【化４】
2005325335.tif 000005
［式中、Ｒ3、Ｒ4、Ｒ5はそれぞれ独立に炭素数１〜３０のアルキル基、アルケニル基、ヒドロキシアルキル基、ポリオキシアルキレン基（アルキレン基の炭素数：２〜４）、および式Ｒ7−Ｔ−Ｒ8− で示される基（Ｒ7は炭素数１〜３０の脂肪酸からＣＯＯＨ基を除いた残基、Ｒ8は炭素数１〜４のアルキレン基またはヒドロキシアルキレン基、Ｔは−ＣＯＯ−または−ＣＯＮＨ−を表す。）から選ばれる基、Ｒ6は炭素数１〜３０のアルキル基、アルケニル基、ヒドロキシアルキル基またはポリオキシアルキレン基；Ｒ3とＲ4とＲ5とのいずれか２つが結合してＮとともに複素環を形成していてもよい；Ｑ- は無機酸アニオンまたは有機酸アニオン、ＱＨは無機酸または有機酸を表す。］
【００２３】
Ｒ3、Ｒ4、Ｒ5の炭素数１〜３０のアルキル基としては、直鎖状、分岐状のいずれでもよく、メチル基、エチル基、ｎ−およびｉ−のプロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、ヘキコシル基およびドコシル基ならびに２−エチルデシル基等；炭素数２〜３０のアルケニル基としては、直鎖状、分岐状のいずれでもよく、ｎ−およびｉ−のプロペニル基、ヘキセニル基、ヘプテニル基、オクテニル基、デセニル基、ウンデセニル基、ドデセニル基、テトラデセニル基、ペンタデセニル基、ヘキサデセニル基、ヘプタデセニル基、オクタデセニル基およびノナデセニル基ならびに２−エチルデセニル基等が挙げられる。
Ｒ3、Ｒ4、Ｒ5の炭素数１〜３０のヒドロキシアルキル基としては、直鎖状、分岐状のいずれでもよく、ヒドロキシメチル基、ヒドロキシエチル基、ｎ−およびｉ−のヒドロキシプロピル基、ヒドロキシブチル基、ヒドロキシヘキシル基、ヒドロキシオクチル基、ヒドロキシデシル基、ヒドロキシドデシル基、ヒドロキシテトラデシル基、ヒドロキシヘキサデシル基およびヒドロキシオクタデシル基等が挙げられる。
これらのうち好ましいものは、炭素数１〜２４のアルキル基、アルケニル基、ヒドロキシアルキル基が好ましい。
Ｒ6の炭素数１〜３０のアルキル基、アルケニル基、ヒドロキシアルキル基またはポリオキシアルキレン基としては、Ｒ3、Ｒ4、Ｒ5で挙げたものと同様である。これらのうち好ましいものは、炭素数１〜４のアルキル基およびヒドロキシアルキル基である。
Ｒ3とＲ4とＲ5とのいずれか２つが結合してＮとともに複素環、脂環式化合物を形成しているものとしては、例えばイミダゾリン環、イミダゾール環、ピリジン環、ピリミジン環、ピペリジン環及びモルホリン環が挙げられる。
【００２４】
残基Ｒ7を構成する炭素数１〜３０の脂肪酸としては、直鎖状、分岐状のいずれでもよく、ギ酸、酢酸、プロピオン酸、酪酸、イソ酪酸、吉草酸、カプロン酸、エナント酸、カプリル酸、ベラルゴン酸、ラウリン酸、ミリスチン酸、ステアリン酸、イソステアリン酸、ベヘン酸、２−エチルヘキサン酸等が挙げられる。これらのうち好ましいものは、炭素数６〜２４の脂肪酸である。
【００２５】
Ｒ8の炭素数１〜４のアルキレン基としては、直鎖状、分岐状のいずれでもよく、メチレン基、エチレン基、ｎ−およびｉ−のプロピレン基、ブチレン基等；炭素数１〜４のヒドロキシアルキレン基としては、直鎖状、分岐状のいずれでもよく、ヒドロキシメチレン基、ヒドロキシエチレン基、ｎ−およびｉ−のヒドロキシプロピレン基、ヒドロキシブチレン基等が挙げられる。
これらのうち好ましいものは、炭素数１〜４のアルキレン基である。
【００２６】
アニオンＱ- を形成する酸、ＱＨとしては次のものが挙げられる。
（ｑ１）無機酸
ハロゲン化水素酸（塩酸、臭素酸、沃素酸等）、硝酸、炭酸、燐酸等；
（ｑ２）有機酸
（ｑ２−ａ）アルキル硫酸エステル
メチル硫酸、エチル硫酸等の炭素数１〜４のアルキル硫酸エステル；
（ｑ２−ｂ）アルキル燐酸エステル
ジメチル燐酸、ジエチル燐酸等の炭素数１〜８のモノおよび／またはジアルキル燐酸エステル；
【００２７】
（ｑ２−ｃ）炭素数１〜３０の脂肪族モノカルボン酸
飽和モノカルボン酸（残基がＲ7を構成する脂肪酸として挙げたもの等）、不飽和モノカルボン酸（アクリル酸、メタクリル酸、オレイン酸等）、および脂肪族オキシカルボン酸（グリコール酸、乳酸、オキシ酪酸、オキシカプロン酸、リシノール酸、オキシステアリン酸、グルコン酸等）；
（ｑ２−ｄ）炭素数７〜３０の芳香族または複素環モノカルボン酸
芳香族モノカルボン酸（安息香酸、ナフトエ酸、ケイ皮酸等）、芳香族オキシカルボン酸（サリチル酸、ｐ−オキシ安息香酸、マンデル酸等）、および複素環モノカルボン酸（ピロリドンカルボン酸等）；
【００２８】
（ｑ２−ｅ）２〜４価のポリカルボン酸
炭素数２〜３０の直鎖状または分岐状の脂肪族ポリカルボン酸［飽和ポリカルボン酸（シュウ酸、マロン酸、コハク酸、グルタル酸、アジピン酸、ピメリン酸、スベリン酸、アゼライン酸、セバチン酸等）、炭素数４〜３０の不飽和ポリカルボン酸（マレイン酸、フマール酸、イタコン酸等）］；炭素数４〜２０の脂肪族オキシポリカルボン酸（リンゴ酸、酒石酸、クエン酸等）；炭素数８〜３０の芳香族ポリカルボン酸［ジカルボン酸〔フタル酸、イソフタル酸、テレフタル酸、２，６−ナフタレンジカルボン酸およびビフェニルジカルボン酸（２，２’−、３，３’−および／または２，７−体）等〕、トリもしくはテトラカルボン酸（トリメリット酸、ピロメリット酸等）］；硫黄を含有する炭素数４〜３０のポリカルボン酸（チオジプロピオン酸等）；
（ｑ２−ｆ）炭素数２〜３０のアミノ酸
アスパラギン酸、グルタミン酸、システィン酸等のアミノ酸；
（ｑ２−ｇ）有機酸変性シリコーン
ジオルガノポリシロキサンのメチル基の一部が、−Ｒ9ＣＯＯＨ基および／または−Ｒ9ＳＯ3Ｈ基 で置換した有機酸。Ｒ9は炭素数２〜５のアルキレン基であり、残りはメチル基、フェニル基、炭素数２〜２０のアルキル基または−(ＣＨ2)ｒ−Ｐｈ（Ｐｈはフェニル基、ｒは１〜４の整数を示す）基でもよい。
【００２９】
（ｑ２−ｈ）脂肪族アルコール（炭素数８〜２４）のカルボキシメチル化物
オクチルアルコールのカルボキシメチル化物、デシルアルコールのカルボキシメチル化物、ラウリルアルコールのカルボキシメチル化物、のカルボキシメチル化物およびトリデカノール（協和発酵製）のカルボキシメチル化物等；
（ｑ２−ｉ）脂肪族アルコール（炭素数８〜２４）のＥＯおよび／またはＰＯ１〜２０モル付加物のカルボキシメチル化物、オクチルアルコールＥＯ３モル付加物のカルボキシメチル化物、ラウリルアルコールＥＯ２．５モル付加物のカルボキシメチル化物、イソステアリルアルコールＥＯ３モル付加物のカルボキシメチル化物、およびトリデカノールＥＯ２モル付加物のカルボキシメチル化物等；
【００３０】
これらのうちで好ましいものは、メチル硫酸、エチル硫酸、アジピン酸、グルコン酸、とくにイソステアリン酸である。
【００３１】
一般式（３）で示される第４級アンモニウム塩型カチオン界面活性剤（Ｂ３−１）としては、アルキル（炭素数１〜３０）トリメチルアンモニウム塩（例えば、ラウリルトリメチルアンモニウムクロライド、ラウリルトリメチルアンモニウムイソステアリン酸塩、ラウリルトリメチルアンモニウムカルボキシ変性シリコーン塩等）、ジアルキル（炭素数１〜３０）ジメチルアンモニウム塩［例えば、ジデシルジメチルアンモニウムクロライド、ジオクチルジメチルアンモニウムブロマイド、ジデシルジメチルアンモニウムイソステアレート、ジ（ジデシルジメチルアンモニウム）アジペート、ジデシルジメチルアンモニウムカルボキシ変性シリコーン塩、ジデシルジメチルアンモニウムラウリルアルコールＥＯ１〜５モル付加物のカルボキシメチル化物の塩等］、窒素環含有第４級アンモニウム塩（例えば、セチルピリジニウムクロライド等）、ポリ（付加モル数２〜１５）オキシアルキレン（炭素数２〜４）鎖含有第４級アンモニウム塩［例えば、ポリ（付加モル数３）オキシエチレントリメチルアンモニウムクロライド等］、アルキル（炭素数１〜３０）アミドアルキル（炭素数１〜１０）ジアルキル（炭素数１〜４）メチルアンモニウム塩（例えば、ステアラミドエチルジエチルメチルアンモニウムメトサルフェート等）等が挙げられる。
これらのうち好ましいのはアルキルトリメチルアンモニウムの有機酸塩およびとくにジアルキルジメチルアンモニウムの有機酸塩である。
【００３２】
一般式（４）で示されるアミン塩型カチオン界面活性剤（Ｂ３−２）としては、３級アミンを無機酸（例えば、塩酸、硝酸、硫酸、ヨウ化水素酸等）または有機酸（例えば、酢酸、ギ酸、蓚酸、乳酸、グルコン酸、アジピン酸、アルキル硫酸等）で中和して得られるものが使用できる。炭素数３〜９０の脂肪族３級アミン（例えば、トリエチルアミン、エチルジメチルアミン、ジデシルメチルアミン、Ｎ，Ｎ，Ｎ’，Ｎ’−テトラメチルエチレンジアミン、ラウラミドプロピルジメチルアミン等）、炭素数３〜９０の脂環式（含窒素ヘテロ環を含む）３級アミン（例えば、Ｎ−メチルピロリジン、Ｎ−メチルピペリジン、Ｎ−メチルモルホリン、４−ジメチルアミノピリジン、Ｎ−メチルイミダゾール、４，４’−ジピリジル等）、炭素数３〜９０のヒドロキシアルキル基含有３級アミン（例えば、トリエタノールアミンモノステアリン酸エステル、Ｎ−ステアラミドエチルジエタノールアミン等）等の無機酸塩または有機酸塩等が挙げられる。
これらのうち好ましいのは、脂肪族アミンの無機酸塩および有機酸塩である。
【００３３】
両性界面活性剤（Ｂ４）としては、ベタイン型両性界面活性剤（Ｂ４−１）、アミノ酸型両性界面活性剤（Ｂ４−２）、スルホン酸塩型両性界面活性剤（Ｂ４−３）、リン酸エステル型両性界面活性剤（Ｂ４−４）および硫酸エステル型両性界面活性剤（Ｂ４−５）等が使用でき、例えば米国特許第４，３３１，４４７号および同第３，９２９，６７８号各明細書に記載のものが挙げられる。
これらの両性界面活性剤（Ｂ４）のうち好ましいものとしては、例えば下記一般式（５）、（６）または（７）で示されるもの、およびこれらの２種以上の混合物が挙げられる。
【化５】
2005325335.tif 000006
【化６】
2005325335.tif 000007
【化７】
2005325335.tif 000008
［式中、Ｒ10、Ｒ11、Ｒ12はそれぞれ独立に炭素数１〜３０のアルキル基、アルケニル基、ヒドロキシアルキル基、および式Ｒ14−Ｔ−Ｒ15−で示される基（Ｒ14は炭素数１〜３０の脂肪酸からＣＯＯＨ基を除いた残基、Ｒ15は炭素数１〜４のアルキレン基またはヒドロキシアルキレン基、Ｔは−ＣＯＯ−または−ＣＯＮＨ−を表す。）から選ばれる基；Ｒ13は炭素数１〜４のアルキレン基またはヒドロキシアルキレン基；Ｘ-はＣＯＯ-またはＳＯ3-；Ｒ16は炭素数１〜３０のアルキル基、アルケニル基またはヒドロキシアルキル基；Ｒ17は炭素数１〜４のアルキレン基またはヒドロキシアルキレン基；Ｒ17は炭素数１〜４のアルキレン基またはヒドロキシアルキレン基；Ｒ18は水素原子または式Ｒ17ＣＯＯＭ1/sで示される基；Ｒ19は水素原子、炭素数１〜３０のアルキル基またはアルケニル基；Ｍは水素原子、アルカリ金属、アルカリ土類金属またはアミンカチオンであってＭが複数の場合は同一でも異なっていてもよい；ｓはＭの価数を表し、１または２である。］
【００３４】
Ｒ10、Ｒ11、Ｒ12、Ｒ16およびＲ19の炭素数１〜３０のアルキル基、またはヒドロキシアルキル基としてはＲ3、Ｒ4、Ｒ5に挙げたものと同様である。
これらのうち好ましいものは、Ｒ10およびＲ16は炭素数６〜２４のアルキル基、アルケニル基、ヒドロキシアルキル基およびＲ14−ＣＯＮＨＲ15−基であり、Ｒ11、Ｒ12およびＲ19は炭素数１〜２４のアルキル基、アルケニル基およびヒドロキシアルキル基である。
【００３５】
残基Ｒ14を構成する炭素数１〜３０の脂肪酸としてはＲ7と同様の脂肪酸であり、Ｒ13、Ｒ15およびＲ17の炭素数１〜４のアルキレン基としてはＲ8と同様である。これらのうち好ましいものはＲ15は炭素数１〜４のアルキレン基であり、Ｒ13およびＲ17は炭素数１〜３のアルキレン基である。
Ｘ-のうち好ましいものはＣＯＯ-である。
【００３６】
Ｒ18は水素原子またはＲ17ＣＯＯＭ1/s基である。これらのうち好ましいものは、Ｒ18が水素原子のものとＲ18がＲ17ＣＯＯＭ1/s基のものの混合物である。
Ｍとしては、水素原子、アルカリ金属（例えば、リチウム、カリウム、ナトリウム等）、アルカリ土類金属（例えば、カルシウム、マグネシウム等）、アミンカチオン（例えば、モノ−、ジ−およびトリ−のエタノールアミンカチオン、２−エチルヘキシルアミンカチオン等）が挙げられる。これらのうち好ましいものは、水素原子およびアルカリ金属である。
【００３７】
一般式（５）で示されるベタイン型両性界面活性剤（Ｂ４−１）としては、アルキル（炭素数１〜３０）ジメチルベタイン（例えば、ステアリルジメチルベタイン、ラウリルジメチルベタイン等）、アルキル（炭素数１〜３０）アミドアルキル（炭素数１〜４）ジメチルベタイン（例えば、ヤシ油脂肪酸アミドプロピルジメチルベタイン、ラウラミドプロピルジメチルベタイン、ステアラミドプロピルジメチルベタイン等）、アルキル（炭素数１〜３０）ジヒドロキシアルキル（炭素数１〜３０）ベタイン（例えば、ラウリルジヒドロキシエチルベタイン等）、スルフォベタイン型両性界面活性剤（例えば、ペンタデシルジメチルタウリン等）等が挙げられる。これらのうち好ましいものはアルキルジメチルベタイン、アルキルアミドアルキルジメチルベタインである。
【００３８】
一般式（５）で示されるアミノ酸型両性界面活性剤（Ｂ４−２）としては、アラニン型［アルキル（炭素数１〜３０）アミノプロピオン酸型、アルキル（炭素数１〜３０）イミノジプロピオン酸型等］両性界面活性剤（例えば、ステアリルアミノプロピオン酸ナトリウム、β−ラウリルアミノプロピオン酸ナトリウム、Ｎ−ラウリル−β−イミノジプロピオン酸ナトリウム、Ｎ−ラウリル−β−イミノジプロピオン酸カリウム等）、グリシン型［アルキル（炭素数１〜３０）アミノ酢酸型等］両性界面活性剤（例えば、ラウリルアミノ酢酸ナトリウム等）が挙げられる
。これらのうち好ましいのは、アルキルアミノプロピオン酸型両性界面活性剤、アルキルイミノジプロピオン酸型両性界面活性剤である。
【００３９】
一般式（７）で示されるスルホン酸塩型両性界面活性剤（アミノスルホン酸塩型両性界面活性剤）（Ｂ４−３）としては、例えば、アルキル（炭素数１〜３０）タウリン型（Ｃ15Ｈ31ＮＨＣＨ2ＣＨ2ＳＯ3Ｎａ、Ｃ17Ｈ35ＮＨＣＨ2ＣＨ2ＣＨ2ＳＯ3Ｎａ等）両性界面活性剤等が挙げられる。
【００４０】
リン酸エステル型両性界面活性剤（Ｂ４−４）および硫酸エステル型両性界面活性剤（Ｂ４−５）としては、下記一般式（８）で与えられるアミノアルコールのリン酸および硫酸（モノまたはジ）エステルを用いることができる。
【化８】
2005325335.tif 000009
［式中、Ｒ20は炭素数１〜３０のアルキル基、アルケニル基、および式Ｒ24−Ｔ−Ｒ25−で示される基（Ｒ24は炭素数１〜３０の脂肪酸からＣＯＯＨ基を除いた残基、Ｒ21は式Ｒ22−（ＡＯ）ｔ−ＯＨで表される基；Ｒ22は炭素数１〜４のアルキレン基；Ｒ23はＲ20で挙げたものと同様であるか水素、またはＲ21で表される基である。］
【００４１】
一般式（８）においてＲ20を構成する炭化水素としてはＲ3、Ｒ4、Ｒ5、Ｒ6挙げたものと同様であり、残基Ｒ24を構成する炭素数１〜３０の脂肪酸としてはＲ7と同様の脂肪酸であり、Ｒ25の炭素数１〜４のアルキレン基としてはＲ8と同様である。これらのうち好ましいものとしては、Ｒ15は炭素数１〜４のアルキレン基であり、Ｒ13およびＲ17は炭素数１〜３のアルキレン基である。
式Ｒ22−（ＡＯ）ｔ−ＯＨにおいて、ｔは、通常０又は１〜１０であり式中のＡＯは、オキシアルキレン基を表す。ＡＯの炭素数は、通常２、３及び／又は４、好ましくは２及び／又は３である。
【００４２】
リン酸エステル型両性界面活性剤（Ｂ４−４）としては、例えば、エチルアミノエタノールモノホスフェート、ベンジルアミノエタノールモノホスフェート、ブチルアミノエタノールジホスフェート及びベンジルアミノエタノールジホスフェート、ブチルアミノプロパノールモノホスフェート、ブチルアミノエタノールＥＯ６モル付加物のモノホスフェート、ベンジルアミノエタノールＥＯ２モル付加物のジホスフェート、ジメチルアミノエタノールモノホスフェート、ジエチルアミノプロパノールモノホスフェート、ジブチルアミノエタノールモノホスフェート、ジメチルアミノエタノールジホスフェート、ジエチルアミノプロパノールジホスフェート及びジブチルアミノエタノールジホスフェート、ジエチルアミノプロパノールＥＯ２モルＰＯ２モルブロック付加物のモノホスフェート、ジブチルアミノプロパノールＥＯ２モルＰＯ２モルランダム付加物のモノホスフェート、ジエチルアミノプロパノールＥＯ２モル付加物のモノホスフェート等が挙げられる。
【００４３】
硫酸エステル型両性界面活性剤（Ｂ４−５）としては、例えばブチルアミノエタノールモノサルフェート、ベンジルアミノエタノールモノサルフェート、ブチルアミノエタノールジサルフェート及びベンジルアミノエタノールジサルフェート、ブチルアミノエタノールＥＯ６モル付加物のモノサルフェート、ベンジルアミノエタノールＥＯ２モル付加物のジサルフェート、ジメチルアミノエタノールモノサルフェート、ジエチルアミノプロパノールモノサルフェート、ジメチルアミノエタノールジサルフェート、ジエチルアミノプロパノールジサルフェート及びジブチルアミノエタノールジサルフェート、ジブチルアミノプロパノールＥＯ２モルＰＯ２モルランダム付加物のモノサルフェート、ジブチルアミノエタノールＥＯ１０モル付加物のモノサルフェート、ジエチルアミノプロパノールＥＯ２モル付加物のモノサルフェート等が挙げられる。
これら（Ｂ４）のうち、好ましいのは（Ｂ４−１）および（Ｂ４−２）である。
好ましいものの具体例としては、ステアリルジメチルベタイン、ラウリルジメチルベタインアルキルジメチルベタイン、ヤシ油脂肪酸アミドプロピルジメチルベタイン、ラウラミドプロピルジメチルベタイン、ステアラミドプロピルジメチルベタインアルキルアミドアルキルジメチルベタイン、ステアリルアミノプロピオン酸ナトリウム、β−ラウリルアミノプロピオン酸ナトリウム、Ｎ−ラウリル−β−イミノジプロピオン酸ナトリウム、Ｎ−ラウリル−β−イミノジプロピオン酸カリウムなどが挙げられる。
【００４４】
本発明におけるノニオン界面活性剤（Ｂ５）としては、炭素数１〜２４のアルコールのＡＯ付加物（Ｂ５−１）、脂肪酸エステル化合物（Ｂ５−２）などがあげられる。
【００４５】
アルコールのＡＯ付加物（Ｂ５−１）を構成する炭素数１〜２４のアルコールとしては合成アルコール、天然アルコールなどは特に限定しないが、以下のものが挙げられる。  
（ｘ１）炭素数１〜２４肪族１価アルコ−ル［脂肪族飽和１価アルコール（例えば、メタノール、２−エチルヘキシルアルコール、ラウリルアルコール、パルミチルアルコール、イソステアリルアルコールなど）、脂肪族不飽和１価アルコール（例えば、オレイルアルコールなど）］
（ｘ２）炭素数１〜２４の脂肪族多価（２〜６価）アルコ−ルまたはその縮合物［例えば、１，６−ヘキサンジオール、ネオペンチルグリコール、グリセリン、トリメチロールプロパン、ペンタエリスリトール、ソルビトール、ソルビタンなど）］
【００４６】
アルコールのＡＯ付加物（Ｂ５−１）を構成するＡＯとしては、炭素数２〜８のＡＯ（ＥＯ、ＰＯ、およびブチレンオキサイドなど）が挙げられる。
これらのうち好ましいものは、ＥＯ、ＰＯであり、付加形式はランダム、ブロックのいずれでもよいが、付加モル数は、ベースオイルへの溶解性の観点から、好ましくは１〜５０モルであり、より好ましくは１〜３０モルであり、さらに好ましくは１〜２０モルである。
【００４７】
（Ｂ５−１）を構成するアルキル基としては、炭素数が１〜２４の飽和または不飽和のアルキル基が挙げられる。このアルキル基は、パーム油、牛脂、なたね油、米糠油、魚油などの天然油脂由来のものでも、合成系のものでもよい。
【００４８】
エステル化合物（Ｂ５−２）を構成するカルボン酸としては、以下のものが挙げられる。
（ａ１）炭素数１〜２４の脂肪族モノカルボン酸［脂肪族飽和モノカルボン酸（例えば、蟻酸、エタン酸、プロピオン酸、ラウリン酸、パルミチン酸、ステアリン酸、イソステアリン酸、イソアラキン酸など）、脂肪族不飽和モノカルボン酸（例えば、オレイン酸、エルシン酸など）］；
（ａ２）炭素数１〜２４の脂肪族ジカルボン酸［脂肪族炭化水素系飽和ジカルボン酸（例えば、アジピン酸、エライジン酸など）］が挙げられる。
また、（Ｂ５−２）を構成する炭素数８〜３２の高級アルコールとしては以下のものが挙げられる。
（ｘｘ１）炭素数８〜３２の脂肪族１価アルコ−ル［脂肪族飽和１価アルコール（例えば、オクチルアルコール、２−エチルヘキシルアルコール、ラウリルアルコール、パルミチルアルコール、イソステアリルアルコールなど）、脂肪族不飽和１価アルコール（例えば、オレイルアルコールなど）］
（ｘｘ２）炭素数３〜２４の脂肪族多価（２〜６価）アルコ−ルまたはその縮合物［例えば、１，６−ヘキサンジオール、ネオペンチルグリコール、グリセリン、トリメチロールプロパン、ペンタエリスリトール、ソルビトール、ソルビタンなど）］
（ｘｘ３）脂肪族アルコール（ｘ１）ＡＯ付加物
（ｘｘ４）脂肪族多価アルコール（ｘ２）ＡＯ付加物
（ｘｘ５）ポリアルキレングリコール
【００４９】
これら（Ｂ５）うち、好ましいものの具体例としては多価アルコール脂肪酸エステルＡＯ付加物（例えば、ポリオキシエチレングリセリンジオレエ−ト、ポリオキシエチレンソルビタントリオレエ−ト等）、ヒマシ油ＥＯ付加物、硬化ヒマシ油ＥＯ付加物；（ａ１）と（ｘｘ１）からなるエステル（例えば、２−エチルヘキシルステアレート、イソデシルステアレート、イソステアリルオレート、イソエイコシルステアレート、イソエイコシルオレート、イソテトラコシルオレート、イソアラキジルオレート、イソステアリルパルミテート、オレイルオレートなど）；（ａ１）と（ｘｘ２）からなるエステル（例えば、グリセリンジオレエート、ペンタエリスリトールテトラオレエートなど）；（ａ２）と（ｘ１）からなるエステル（例えば、ジオレイルアジペート、ジイソトリデシルアジペート等のアジピン酸エステルなど）；（ａ１）と（ｘｘ３）からなるエステル［例えば、ＥＯ２モル付加したドバノ−ル２３（三菱化学株式会社製の合成アルコ−ル）とラウリン酸とのエステル、ＰＯ２モル付加したイソトリデシルアルコ−ルとラウリン酸とのエステル、ＥＯ２モル付加したドバノ−ル２３とアジピン酸とのジエステル］；（ａ１）と（ｘｘ５）からなるエステル［例えば、ポリエチレングリコールモノ（ジ）ステアレート、ポリエチレングリコールのモノ（ジ）オレエートなど］；（ｘｘ３）（例えば、ラウリルアルコールのＥＯ７など）；などが挙げられる。
【００５０】
本発明において、これら界面活性剤（Ｂ）のうち硫黄含有エステル（Ｂ１）と共に使用する界面活性剤として好ましいものは，アニオン界面活性剤（Ｂ２）、両性界面活性剤（Ｂ４）およびノニオン界面活性剤（Ｂ５）であり、より好ましいものはアニオン界面活性剤（Ｂ２）、ノニオン界面活性剤（Ｂ５）である。より好ましいものの具体例としては、ラウリルアルコールカルボキシメチル化ナトリウム塩、トリデカノールカルボキシメチル化ナトリウム塩、ラウリルアルコールＥＯ２モル付加物のカルボキシメチル化物のナトリウム塩、ミリスチルアルコールＥＯ３モル付加物のカルボキシメチル化物のナトリウム塩、スルホコハク酸ラウリルジナトリウム塩、オクチルベンゼンスルホン酸ナトリウム塩、ロート油、硫酸化牛脂、硫酸化落花生油、硫酸化オレイン酸ブチル塩、硫酸化リシノレイン酸ブチル塩、ラウリルアルコールリン酸モノエステルモノカリウム塩、ラウリルアルコールリン酸ジエステルジカリウム塩、イソステアリルアルコールのＥＯ５モル付加物のリン酸モノエステルカリウム塩、イソステアリルアルコールのＥＯ５モル付加物のリン酸ジエステルジカリウム塩ステアリルアルコールのリン酸エステルカリウム塩 、イソステアリルオレエート、ソルビタントリステアレート、ペンタエリスリトールテトラオレエート、ソルビタンモノラウレート、ソルビタンモノオレエート、ソルビタンモノパルミテート、ソルビタンモノオレエートＥＯ２０モル付加物、ソルビタンモノパルミテートＥＯ２０モル付加物、ポリエチレングリコールモノ（ジ）オレエート、ラウリルアルコールＥＯ７モル付加物などが挙げられる。
【００５１】
界面活性剤（Ｂ）の配合量（重量％）は、コイル成型後の洗浄工程における潤滑剤の脱落性の観点から、（Ａ）＋（Ｂ）の合計重量に基づいて、好ましくは０．５〜４０であり、さらに好ましくは１０〜２５、特に好ましくは１５〜２５である。
【００５２】
また硫黄含有エステル（Ｂ１）の配合量（重量％）は、耐熱性とベースオイルの脱落性の観点から（Ｂ）の重量に基づいて、好ましくは１０〜８０であり、さらに好ましくは１０〜５０，特に好ましくは１０〜４０である。
【００５３】
また（Ｂ）は、ベースオイル（Ａ）と配合する前、あるいは配合した後に、例えばキヨーワード６００（協和化学工業（株）製）などの吸着剤で吸着処理することによって含まれる触媒を除去したものでも、特開昭５６−１１２９３１号公報、特公平２−５３４１７号公報に記載のようなオキシカルボン酸（乳酸）などを用いて中和処理したもの、もしくは触媒がそのまま残留したものでもよい。
【００５４】
本発明の潤滑剤組成物は、必要により、消泡剤、防腐剤、および防錆剤など薬剤を配合または併用したり、性能を損なわない程度の水分を含んでもよい。
また、ヒンダードフェノール系の既知の酸化防止剤あるいはリン系、ラクトン系、ヒドロキシルアミン系ビタミンＥ系などの加工熱安定剤を使用することもできる。
【００５５】
以下実施例で作成した潤滑剤組成物を用い、実施例により本発明をさらに詳細に説明するが本発明はこれに限定されるものではない。また実施例、比較例中の「部」は質量部を示す。結果を表１にまとめて示した。
【００５６】
加熱減量率、タール化、加熱後の流動性の測定方法については次の通り。
≪測定条件≫
・加熱残渣
ステンレスシャーレに実施例に示す油剤を０．５０ｇを入れ、１８０℃で６時間加熱し、その残渣［残渣１とする］より加熱残渣を次式によって求めた。
加熱残渣（質量％）＝（残渣１／０．５０）×１００
・タール化
前記加熱残渣測定による残渣１の入ったシャーレにをトルエン５ｍｌを入れ１０分間放置した後、溶液を取り除く。これを２回繰り返し、乾燥後の重量を測定し、これを残渣２として次式によってタール化率を求めた。
タール化率（質量％）＝（残渣２の質量／０．５０）×１００
タール化率の測定による評価は下記の通りとした。
○・・・１．０質量％未満
△・・・１．０質量％以上２．０質量％未満
×・・・２．０％以上
・加熱後の流動性
前記加熱残渣測定による残渣１を目視判定し、下記のように評価した。
○・・・加熱前と比べて流動性に変化なし。
△・・・加熱前に比べて流動性が劣る。
×・・・加熱後の流動性が全くない。
【００５７】
＜実施例＞
［実施例１］
下記化合物を室温下（２５℃）で配合し、淡黄色の透明液状の本発明品の潤滑剤［１］１００部を得た。
・ダイアナプロセスオイルＰＷ−３８０（出光興産（株））               ４８．０部
・タービンＮｏ．５６（（株）ジャパンエナジー製）                     ３６．０部
・ステアリルアルコールリン酸エステルカリウム塩                        ２．５部
・ソルビタンオレイン酸エステル                                        ３．０部
・ソルビタンオレイン酸エステルＥＯ２０モル付加物                      ４．０部
・ポリエチレングリコールのオレイン酸エステル                          ２．０部
・ラウリルアルコールＥＯ３モル付加物のチオジプロピオン酸ジエステル    ４．０部
・水                                                                  ０．５部
【００５８】
［実施例２］
下記化合物を室温下（２５℃）で配合し、淡黄色の透明液状の本発明品の潤滑剤［２］１００部を得た。
・ダイアナプロセスオイルＰＷ−３８０（出光興産（株））               ４８．０部
・タービンＮｏ．５６（（株）ジャパンエナジー製）                     ３６．０部
・ステアリルアルコールリン酸エステルカリウム塩                        ２．５部
・ソルビタンオレイン酸エステル                                        ３．０部
・ソルビタンオレイン酸エステルＥＯ２０モル付加物                      ４．０部
・ポリエチレングリコールのオレイン酸エステル                          ２．０部
・ラウリルアルコールチオジプロピオン酸ジエステル                      ４．０部
・水                                                                  ０．５部
【００５９】
［実施例３］
下記化合物を室温下（２５℃）で配合し、淡黄色の透明液状の本発明品の潤滑剤［３］１００部を得た。
・ダイアナプロセスオイルＰＷ−３８０（出光興産（株））               ４８．０部
・タービンＮｏ．５６（（株）ジャパンエナジー製）                     ３６．０部
・ステアリルアルコールリン酸エステルカリウム塩                        ２．５部
・ソルビタンオレイン酸エステル                                        ３．０部
・ソルビタンオレイン酸エステルＥＯ２０モル付加物                      ４．０部
・ポリエチレングリコールのオレイン酸エステル                          ２．０部
・ラウリルアルコールＰＯ３モルＥＯ２モル付加物のチオジプロピオン酸ジエステル                                                                         ４．０部
・水                                                                  ０．５部
【００６０】
[実施例４]
下記化合物を室温下（２５℃）で配合し、淡黄色の透明液状の本発明品の潤滑剤［４］１００部を得た。
・ダイアナプロセスオイルＰＷ−３８０（出光興産（株））               ４８．０部
・タービンＮｏ．５６（（株）ジャパンエナジー製）                     ３６．０部
・ステアリルアルコールリン酸エステルカリウム塩                        ３．０部
・ソルビタンオレイン酸エステル                                        ３．５部
・ソルビタンオレイン酸エステルＥＯ２０モル付加物                      ４．５部
・ポリエチレングリコールのオレイン酸エステル                          ２．５部
・ラウリルアルコールＥＯ３モル付加物のチオジプロピオン酸ジエステル    ２．０部
・水                                                                  ０．５部
【００６１】
[実施例５]
下記化合物を室温下（２５℃）で配合し、淡黄色の透明液状の本発明品の潤滑剤［５］１００部を得た。
・ダイアナプロセスオイルＰＷ−３８０（出光興産（株））               ４８．０部
・タービンＮｏ．５６（（株）ジャパンエナジー製）                     ３６．０部
・ステアリルアルコールリン酸エステルカリウム塩                        ２．０部
・ソルビタンオレイン酸エステル                                        ２．５部
・ソルビタンオレイン酸エステルＥＯ２０モル付加物                      ３．５部
・ポリエチレングリコールのオレイン酸エステル                          １．５部
・ラウリルアルコールＥＯ３モル付加物のチオジプロピオン酸ジエステル    ６．０部
・水                                                                  ０．５部
【００６２】
[実施例６]
実施例２において、ラウリルアルコールチオジプロピオン酸ジエステルをイソステアリルアルコールチオジプロピオン酸ジエステルに代える以外は実施例２と同様にして、淡黄色の透明液状の本発明品の潤滑剤［６］１００部を得た。
【００６３】
[実施例７]
ラウリルアルコールチオジプロピオン酸ジエステルをイソセチルアルコールチオジプロピオン酸ジエステルに代える以外は実施例２と同様にして、淡黄色の透明液状の本発明品の潤滑剤［７］１００部を得た。
【００６４】
＜比較例＞
［比較例１］
下記化合物を室温下（２５℃）で配合し、淡黄色の透明液状の比較用の潤滑剤［８］１００部を得た。
・ダイアナプロセスオイルＰＷ−３８０（出光興産（株）製）             ４８．０部
・タービンＮｏ．５６（（株）ジャパンエナジー製）                      ４０．０部
・ソルビタンオレイン酸エステル                                         ８．０部
・ラウリルアルコールＥＯ７モル付加物                                   ３．５部
・水                                                                   ０．５部  
【００６５】
［比較例２］
下記化合物を室温下（２５℃）で配合し、淡黄色の透明液状の比較用の潤滑剤［９］１００部を得た。
・ダイアナプロセスオイルＰＷ−３８０（出光興産（株）製）             ４８．０部
・タービンＮｏ．５６（（株）ジャパンエナジー製）                      ３６．０部
・ソルビタンオレイン酸エステル                                         １．０部
・ラウリルアルコールＥＯ７モル付加物                                   ４．０部
・ソルビタンオレイン酸エステル                                         ３．０部
・ソルビタンオレイン酸エステルＥＯ２０モル付加物                       ４．０部
・ポリエチレングリコールのオレイン酸エステル                           ３．５部
・水                                                                   ０．５部
【００６６】
【表１】
2005325335.tif 000010
【産業上の利用可能性】
【００６７】
本発明の潤滑剤は、ポリエステルモノフィラメントの平滑剤およびコイル成型機の潤滑剤を兼ねるものであり、ファスナー用ポリエステルモノフィラメントのコイル成型に最適である。さらに硫黄含有エステルを含有する事で、使用温度における安定性を付与し、コイルファスナーへのスラッジ堆積を防止したものである。